(57)【特許請求の範囲】
【請求項１】
左右一対の走行装置を備えた走行機体と、刈取作物を脱穀処理する脱穀装置とが備えられ、
前記脱穀装置が、機体横幅方向中央位置に対して左右いずれかに偏倚した状態で前記走行機体に備えられ、
前記脱穀装置の後方に、前記脱穀装置から排出される排ワラを受け入れて下方側から外部に排出する排ワラカバーが備えられ、
前記排ワラカバーにおける機体横幅方向内方側に位置する内側側壁が、機体後方側ほど機体左右中央位置側に位置する傾斜姿勢となっており、
前記脱穀装置にて得られた穀粒を貯留する穀粒タンクが、前記脱穀装置と機体横幅方向に並ぶ状態で設けられ、
前記脱穀装置と前記穀粒タンクとの間において、前記排ワラカバーにおける前記内側側壁と隣り合う位置に燃料タンクが備えられ、
前記内側側壁は、前記燃料タンクの上面よりも下側まで延びているコンバイン。
【請求項２】
前記排ワラカバーにおける機体横幅方向外方側に位置する外側側壁が、機体前後方向に沿う前後向き姿勢となっている請求項１記載のコンバイン。
【請求項３】
前記内側側壁の後端が、前記燃料タンクの側面に近接する位置まで延びている請求項１又は２に記載のコンバイン。
【請求項４】
左右一対の走行装置を備えた走行機体と、刈取作物を脱穀処理する脱穀装置とが備えられ、
前記脱穀装置が、機体横幅方向中央位置に対して左右いずれかに偏倚した状態で前記走行機体に備えられ、
前記脱穀装置の後方に、前記脱穀装置から排出される排ワラを受け入れて下方側から外部に排出する排ワラカバーが備えられ、
前記排ワラカバーの内部に、機体横幅方向外方側に位置する外側側壁から前記内側側壁に向けて延び且つ機体横幅方向内方側ほど下方に位置する傾斜姿勢の流下案内体が備えられ、
前記脱穀装置は、扱室の内部に、前後軸芯周りで回転する扱胴及びその扱胴の外周部に沿って円弧状に設けられた受網を備えるとともに、前記扱室の下方に、脱穀処理物を選別する揺動選別装置を備え、
前記流下案内体の案内終端側箇所の下端位置が、上下方向において、前記扱室の後壁の下端と前記揺動選別装置の上端との間に位置しているコンバイン。
【請求項５】
左右一対の走行装置を備えた走行機体と、刈取作物を脱穀処理する脱穀装置とが備えられ、
前記脱穀装置が、機体横幅方向中央位置に対して左右いずれかに偏倚した状態で前記走行機体に備えられ、
前記脱穀装置の後方に、前記脱穀装置から排出される排ワラを受け入れて下方側から外部に排出する排ワラカバーが備えられ、
前記排ワラカバーの内部に、機体横幅方向外方側に位置する外側側壁から前記内側側壁に向けて延び且つ機体横幅方向内方側ほど下方に位置する傾斜姿勢の流下案内体が備えられ、
前記流下案内体は、上部側に位置する案内始端側箇所に、水平面に対する傾斜角度が大きい急傾斜部を備え、下部側に位置する案内終端側箇所に、水平面に対する傾斜角度が小さい緩傾斜部を備えており、
前記脱穀装置は、扱室の内部に、前後軸芯周りで回転する扱胴及びその扱胴の外周部に沿って円弧状に設けられた受網を備えるとともに、前記扱室の下方に、脱穀処理物を選別する揺動選別装置を備え、
前記緩傾斜部が、上下方向において、前記扱室の後壁の下端と前記揺動選別装置の上端との間に位置しているコンバイン。
【請求項６】
前記流下案内体は、前記排ワラカバーの機体横幅方向中央位置よりも機体外方側に設けられている請求項４又は５に記載のコンバイン。
【請求項７】
前記流下案内体は、上部側に位置する案内始端側箇所に、水平面に対する傾斜角度が大きい急傾斜部を備え、下部側に位置する案内終端側箇所に、水平面に対する傾斜角度が小さい緩傾斜部を備えている請求項４から６のいずれか１項に記載のコンバイン。
【請求項８】
前記脱穀装置は、扱室の内部に、前後軸芯周りで回転する扱胴及びその扱胴の外周部に沿って円弧状に設けられた受網を備えるとともに、前記扱室の下方に、脱穀処理物を選別する揺動選別装置を備え、
前記緩傾斜部が、上下方向において、前記扱室の後壁の下端と前記揺動選別装置の上端との間に位置している請求項７に記載のコンバイン。
【請求項９】
前記流下案内体は、前記緩傾斜部に水平姿勢の水平部を備えている請求項７又は８に記載のコンバイン。
【請求項１０】
前記脱穀装置は、扱室の内部に、前後軸芯周りで回転する扱胴及びその扱胴の外周部に沿って円弧状に設けられた受網を備えるとともに、前記扱室の下方に、脱穀処理物を選別する揺動選別装置を備え、
前記流下案内体の案内始端側箇所の上端位置が、上下方向において、前記扱胴の回転軸芯と前記受網の下端部との間における前記回転軸芯寄りに位置している請求項５〜９のいずれか１項に記載のコンバイン。
【発明の詳細な説明】
【技術分野】
【０００１】
本発明は、左右一対の走行装置を備えた走行機体と、刈取作物を脱穀処理する脱穀装置とを備えたコンバインに関する。
【背景技術】
【０００２】
コンバインは、走行装置として左右一対のクローラ走行装置を備えた走行機体の前部に、走行しながら植立作物を刈り取る刈取部を備え、走行機体に、刈取作物を脱穀処理する脱穀装置と、脱穀処理で得られた穀粒を貯留する穀粒タンクとが左右に並ぶ状態で搭載支持されている。つまり、脱穀装置は、機体横幅方向中央位置に対して左側に偏倚した状態で走行機体に備えられる。
【０００３】
そして、脱穀装置にて脱穀処理した後の排ワラを脱穀装置の機体後部側から外部に排出させるようにしたものがある。この種のコンバインでは、脱穀装置の後方に、脱穀装置から排出される排ワラを受け入れて下方側から外部に排出する排ワラカバーが備えられ、排ワラカバーは、脱穀装置の横幅と略同幅であり、排ワラカバーの左右両側の側壁は機体前後方向に沿う姿勢に設けられていた（例えば、特許文献１参照）。
【先行技術文献】
【特許文献】
【０００４】
【特許文献１】特開２０１２−２４４９２４号公報
【発明の概要】
【発明が解決しようとする課題】
【０００５】
上記従来構成では、排ワラカバーから排出される排ワラは、左右両側の側壁によって横側外方への飛散を防止しながら案内され、平面視で脱穀装置の横幅の範囲内で後方側に向けて排出される。上述したように、脱穀装置は、機体横幅方向中央位置に対して左側に偏倚した状態で走行機体に備えられるので、排ワラは、機体横幅方向中央位置に対して左側に偏倚した箇所に排出されることになる。
【０００６】
このように排ワラが機体横幅方向中央位置に対して左側に偏倚した箇所に排出されると、排ワラカバーにより排ワラが脱穀装置から平面視で脱穀装置の横幅の範囲内で後方側に向けて排出される場合であっても、排出された排ワラの一部が機体横側外方側に位置する未刈り領域に排出されることがある。
【０００７】
排ワラが未刈り領域に排出されると、次回の作業行程で走行するときに、未刈り作物に降りかかった排ワラが刈取作業の際に邪魔になったり、走行装置が地上に排出された排ワラを踏みつけてしまう等の不利な面があった。脱穀処理量が多い種類の作物を刈り取る場合には、排ワラの排出量が多くなり、排ワラの一部が未刈り領域に排出されるおそれが大きいので、このような場合には特に問題となっていた。
【０００８】
そこで、排ワラが未刈り領域側に向けて排出されないようにすることが望まれていた。
【課題を解決するための手段】
【０００９】
本発明に係るコンバインの特徴構成は、
左右一対の走行装置を備えた走行機体と、刈取作物を脱穀処理する脱穀装置とが備えられ、
前記脱穀装置が、機体横幅方向中央位置に対して左右いずれかに偏倚した状態で前記走行機体に備えられ、
前記脱穀装置の後方に、前記脱穀装置から排出される排ワラを受け入れて下方側から外部に排出する排ワラカバーが備えられ、
前記排ワラカバーにおける機体横幅方向内方側に位置する内側側壁が、機体後方側ほど機体左右中央位置側に位置する傾斜姿勢となっており、
前記脱穀装置にて得られた穀粒を貯留する穀粒タンクが、前記脱穀装置と機体横幅方向に並ぶ状態で設けられ、
前記脱穀装置と前記穀粒タンクとの間において、前記排ワラカバーにおける前記内側側壁と隣り合う位置に燃料タンクが備えられ、
前記内側側壁は、前記燃料タンクの上面よりも下側まで延びている点にある。
【００１０】
本発明によれば、走行機体を走行させながら刈取作業を行うと、脱穀装置により作物の脱穀処理が行われ、脱穀処理後の排ワラが脱穀装置の後方側から外部に排出される。そのとき、脱穀装置の後方に備えられた排ワラカバーによって脱穀装置から排出される排ワラが受け入れられ、排ワラカバーの下方側から外部に排出される。
【００１１】
排ワラカバーは、内側側壁が機体後方側ほど機体左右中央位置側に位置する傾斜姿勢となっているから、脱穀装置から排出されて受け入れた排ワラを外部に排出させる際に、機体横幅方向内方側箇所では、排ワラを内側側壁に沿って案内することで、排ワラをできるだけ機体左右中央位置側に寄せた状態で排出させることができる。
【００１２】
その結果、脱穀処理物の処理量が多くなる場合であっても、排ワラをできるだけ機体左右中央位置側に寄せることによって、未刈り領域に向けて排出させないようにすることが可能となる。
さらに、本発明によれば、脱穀装置と穀粒タンクとの間の空き領域を有効に利用して、機体外方へ突出させる等の大型化を招くことなくコンパクトに燃料タンクを配備することができる。排ワラカバーの内側側壁が機体後方側ほど機体左右中央位置側に位置する傾斜姿勢であるから、内側側壁は燃料タンクに近づく状態となる。その結果、内側側壁によって排ワラが燃料タンク側に向けて案内されるが、内側側壁は燃料タンクの上面よりも下側まで延びているので、排ワラカバーから排出される排ワラが燃料タンクの上面に降り掛かるおそれは少ない。従って、空き領域を有効に利用して燃料タンクをコンパクトに配備する構成において、排ワラを未刈り領域に向けて排出させないようにしながら、排ワラが燃料タンクの上部に堆積することを回避させることができる。
【００１３】
本発明においては、前記排ワラカバーにおける機体横幅方向外方側に位置する外側側壁が、機体前後方向に沿う前後向き姿勢となっていると好適である。
【００１４】
本構成によれば、排ワラカバーの外側側壁が機体前後方向に沿う前後向き姿勢となっているから、排ワラカバーの後部側の内部空間が横幅方向に拡がり、排ワラカバー内部で脱穀装置から排出される排ワラが詰まったり引っ掛かったりして滞留するおそれが少なく、円滑に外部に排出させることができる。
【００１５】
【００１６】
【００１７】
【００１８】
【００１９】
本発明においては、前記内側側壁の後端が、前記燃料タンクの側面に近接する位置まで延びていると好適である。
【００２０】
本構成によれば、脱穀装置と燃料タンクまでの空間を無駄なく利用して、内側側壁を機体左右中央位置側へ傾斜させることができる。
本発明においては、左右一対の走行装置を備えた走行機体と、刈取作物を脱穀処理する脱穀装置とが備えられ、
前記脱穀装置が、機体横幅方向中央位置に対して左右いずれかに偏倚した状態で前記走行機体に備えられ、
前記脱穀装置の後方に、前記脱穀装置から排出される排ワラを受け入れて下方側から外部に排出する排ワラカバーが備えられ、
前記排ワラカバーの内部に、機体横幅方向外方側に位置する外側側壁から前記内側側壁に向けて延び且つ機体横幅方向内方側ほど下方に位置する傾斜姿勢の流下案内体が備えられ、
前記脱穀装置は、扱室の内部に、前後軸芯周りで回転する扱胴及びその扱胴の外周部に沿って円弧状に設けられた受網を備えるとともに、前記扱室の下方に、脱穀処理物を選別する揺動選別装置を備え、
前記流下案内体の案内終端側箇所の下端位置が、上下方向において、前記扱室の後壁の下端と前記揺動選別装置の上端との間に位置していると好適である。
本構成によれば、走行機体を走行させながら刈取作業を行うと、脱穀装置により作物の脱穀処理が行われ、脱穀処理後の排ワラが脱穀装置の後方側から外部に排出される。そのとき、脱穀装置の後方に備えられた排ワラカバーによって脱穀装置から排出される排ワラが受け入れられ、排ワラカバーの下方側から外部に排出される。
又、脱穀装置から排出される排ワラが、排出カバーの内部において傾斜姿勢に設けられた流下案内体によって、機体横幅方向外方側から機体横幅方向内方側に向けて流下案内され、下方側から外部に排出される。排ワラカバー内部において、排ワラを機体横幅方向内方側に寄せた状態で機体外部に排出させることができ、機体横幅方向外方側の未刈り領域に排ワラが放出されることを確実に回避させることができる。
さらに、扱室内で前後軸芯周りで回転する扱胴と受網とによって作物が脱穀処理され、扱室の下方に漏下する脱穀処理物が揺動選別装置により穀粒と排ワラ等の塵埃とに選別される。穀粒は穀粒タンクに貯留され、排ワラは扱室の後端部から後方に排出される。
揺動選別装置に対しては、前部側から選別風が供給されて細かな塵埃は排ワラと共に後方に排出される。この選別風は、扱室の後壁の下端と揺動選別装置の上側との間に形成された開口を通して塵埃と共に脱穀装置の後方に排出される。扱室の後端部においては、扱胴の回転に伴って排ワラが連回りしながら後方に向けて排出されることになる。
流下案内体の案内終端側箇所の下端位置が、上下方向において、扱室の後壁の下端と揺動選別装置の上端との間に位置している。扱室の後壁の下端と揺動選別装置の上端との間は、選別風が通過する箇所である。流下案内体により流下案内される排ワラが案内終端側箇所に至ると、選別風が作用することになり、選別風を利用して排ワラを後方側に向けて放出させることができ、滞留することなく円滑に排ワラを排出させることができる。
【００２１】
本発明においては、
左右一対の走行装置を備えた走行機体と、刈取作物を脱穀処理する脱穀装置とが備えられ、
前記脱穀装置が、機体横幅方向中央位置に対して左右いずれかに偏倚した状態で前記走行機体に備えられ、
前記脱穀装置の後方に、前記脱穀装置から排出される排ワラを受け入れて下方側から外部に排出する排ワラカバーが備えられ、
前記排ワラカバーの内部に、機体横幅方向外方側に位置する外側側壁から前記内側側壁に向けて延び且つ機体横幅方向内方側ほど下方に位置する傾斜姿勢の流下案内体が備えられ、
前記流下案内体は、上部側に位置する案内始端側箇所に、水平面に対する傾斜角度が大きい急傾斜部を備え、下部側に位置する案内終端側箇所に、水平面に対する傾斜角度が小さい緩傾斜部を備えており、
前記脱穀装置は、扱室の内部に、前後軸芯周りで回転する扱胴及びその扱胴の外周部に沿って円弧状に設けられた受網を備えるとともに、前記扱室の下方に、脱穀処理物を選別する揺動選別装置を備え、
前記緩傾斜部が、上下方向において、前記扱室の後壁の下端と前記揺動選別装置の上端との間に位置していると好適である。
【００２２】
本構成によれば、走行機体を走行させながら刈取作業を行うと、脱穀装置により作物の脱穀処理が行われ、脱穀処理後の排ワラが脱穀装置の後方側から外部に排出される。そのとき、脱穀装置の後方に備えられた排ワラカバーによって脱穀装置から排出される排ワラが受け入れられ、排ワラカバーの下方側から外部に排出される。
又、脱穀装置から排出される排ワラが、排出カバーの内部において傾斜姿勢に設けられた流下案内体によって、機体横幅方向外方側から機体横幅方向内方側に向けて流下案内され、下方側から外部に排出される。排ワラカバー内部において、排ワラを機体横幅方向内方側に寄せた状態で機体外部に排出させることができ、機体横幅方向外方側の未刈り領域に排ワラが放出されることを確実に回避させることができる。
又、脱穀装置から排出される排ワラが、排出カバーの内部において傾斜姿勢に設けられた流下案内体によって、機体横幅方向外方側から機体横幅方向内方側に向けて流下案内され、下方側から外部に排出される。排ワラカバー内部において、排ワラを機体横幅方向内方側に寄せた状態で機体外部に排出させることができ、機体横幅方向外方側の未刈り領域に排ワラが放出されることを確実に回避させることができる。
さらに、流下案内体により案内される排ワラは、案内始端側箇所に位置する急傾斜部にて流下案内されたのち、引き続いて、案内終端側箇所に位置する緩傾斜部にて案内される。急傾斜部は水平面に対する傾斜角度が大きいので、排ワラは勢いをつけた状態で案内される。勢いをつけた状態で案内される排ワラは緩傾斜部にて水平方向又はそれに近い方向に向けて勢いよく案内されて外部に排出される。
このように構成することで、流下案内体は、全長が短いコンパクトな形状でありながら、排ワラを勢いよく流下させながら案内して、機体横幅方向内方側に向けて放出させることができる。
緩傾斜部が、上下方向において、扱室の後壁の下端と揺動選別装置の上端との間に位置しているから、緩傾斜部に沿って案内される排ワラに対して選別風が作用することになる。つまり、緩傾斜部における広い範囲で選別風による案内作用を受けるので、排ワラが滞留することなく円滑に排出させることを一層的確に行うことができる。
【００２３】
【００２４】
本発明においては、前記流下案内体は、前記排ワラカバーの機体横幅方向中央位置よりも機体外方側に設けられていると好適である。
【００２５】
流下案内体は、排ワラを機体横幅方向内方側に向けて流下案内するものであり、例えば、この流下案内体を機体横幅方向中央位置よりも機体内方側に設けると、排ワラカバー内部において、排ワラが通過する領域が狭くなり、排ワラが多量に排出される場合等において排ワラカバー内部で排ワラが詰りを起して排出処理が妨げられるおそれがある。
【００２６】
これに対して、本構成によれば、流下案内体が排ワラカバーの機体横幅方向中央位置よりも機体外方側に設けられているので、排ワラが詰りを起すおそれが少なく円滑な排出処理を行うことができる。
【００２７】
本発明においては、前記流下案内体は、上部側に位置する案内始端側箇所に、水平面に対する傾斜角度が大きい急傾斜部を備え、下部側に位置する案内終端側箇所に、水平面に対する傾斜角度が小さい緩傾斜部を備えていると好適である。
【００２８】
本構成によれば、流下案内体により案内される排ワラは、案内始端側箇所に位置する急傾斜部にて流下案内されたのち、引き続いて、案内終端側箇所に位置する緩傾斜部にて案内される。急傾斜部は水平面に対する傾斜角度が大きいので、排ワラは勢いをつけた状態で案内される。勢いをつけた状態で案内される排ワラは緩傾斜部にて水平方向又はそれに近い方向に向けて勢いよく案内されて外部に排出される。
【００２９】
このように構成することで、流下案内体は、全長が短いコンパクトな形状でありながら、排ワラを勢いよく流下させながら案内して、機体横幅方向内方側に向けて放出させることができる。
本発明においては、
前記脱穀装置は、扱室の内部に、前後軸芯周りで回転する扱胴及びその扱胴の外周部に沿って円弧状に設けられた受網を備えるとともに、前記扱室の下方に、脱穀処理物を選別する揺動選別装置を備え、前記緩傾斜部が、上下方向において、前記扱室の後壁の下端と前記揺動選別装置の上端との間に位置していると好適である。
本構成によれば、緩傾斜部が、上下方向において、扱室の後壁の下端と揺動選別装置の上端との間に位置しているから、緩傾斜部に沿って案内される排ワラに対して選別風が作用することになる。つまり、緩傾斜部における広い範囲で選別風による案内作用を受けるので、排ワラが滞留することなく円滑に排出させることを一層的確に行うことができる。
【００３０】
本発明においては、前記流下案内体は、前記緩傾斜部に水平姿勢の水平部を備えていると好適である。
【００３１】
本構成によれば、急傾斜部によって勢いよく流下案内された排ワラが、水平姿勢の水平部によって略水平方向に放出されることにより、機体横幅方向内方側に向けてより一層遠くへ放出させることができる。
【００３２】
本発明においては、
前記脱穀装置は、扱室の内部に、前後軸芯周りで回転する扱胴及びその扱胴の外周部に沿って円弧状に設けられた受網を備えるとともに、前記扱室の下方に、脱穀処理物を選別する揺動選別装置を備え、
前記流下案内体の案内始端側箇所の上端位置が、上下方向において、前記扱胴の回転軸芯と前記受網の下端部との間における前記回転軸芯寄りに位置していると好適である。
【００３３】
本構成によれば、扱室内で前後軸芯周りで回転する扱胴と受網とによって作物が脱穀処理され、扱室の下方に漏下する脱穀処理物が揺動選別装置により穀粒と排ワラ等の塵埃とに選別される。穀粒は穀粒タンクに貯留され、排ワラは扱室の後端部から後方に排出される。
【００３４】
揺動選別装置に対しては、前部側から選別風が供給されて細かな塵埃は排ワラと共に後方に排出される。この選別風は、扱室の後壁の下端と揺動選別装置の上側との間に形成された開口を通して塵埃と共に脱穀装置の後方に排出される。扱室の後端部においては、扱胴の回転に伴って排ワラが連回りしながら後方に向けて排出されることになる。
【００３５】
そして、流下案内体の案内始端側箇所の上端位置が、上下方向において、扱胴の回転軸芯と受網の下端部との間における回転軸芯寄りに位置している。つまり、流下案内体が排ワラを案内し始める位置が、扱胴の回転軸芯寄りの高い位置となる。その結果、扱室から排出される排ワラに対して高い位置から案内を開始できるので、排ワラを流下案内させ易い。
【００３６】
【００３７】
【００３８】
【００３９】
【図面の簡単な説明】
【００４０】
【図１】コンバインの全体側面図である。
【図２】コンバインの全体平面図である。
【図３】コンバインの背面図である。
【図４】脱穀装置の縦断側面図である。
【図５】脱穀装置の縦断背面図である。
【図６】排ワラカバーの平面図である。
【図７】流下案内体の斜視図である。
【図８】脱穀装置の側面図である。
【図９】動力伝達図である。
【図１０】伝動構造を示す縦断正面図である。
【図１１】伝動構造を示す側面図である。
【図１２】ワイヤ受け部材の支持構造を示す斜視図である。
【図１３】脱穀装置の一部縦断背面図である。
【図１４】第四カバー体の分解斜視図である。
【図１５】脱穀装置のカバーを示す斜視図である。
【発明を実施するための形態】
【００４１】
以下、本発明に係るコンバインの実施形態を図面に基づいて説明する。
【００４２】
〔全体構成〕
図１及び図２に、稲や麦などの作物を収穫対象とする普通型コンバインが示されている。このコンバインは、機体フレーム１の下部に左右一対のクローラ式走行装置２を装備した走行機体Ｖの前部に、収穫対象の作物としての植立穀稈を刈り取って後方に向けて搬送する刈取搬送部３を昇降揺動可能に連結している。そして、走行機体Ｖは、機体フレーム１上に、刈取搬送部３から搬送される作物としての刈取穀稈を扱き処理するとともに、その扱き処理で得られた脱穀処理物を穀粒と排ワラとに選別する脱穀装置４、脱穀装置４にて得られた穀粒を貯留する穀粒タンク５、穀粒タンク５に貯留される穀粒を機外に排出するための穀粒排出装置６、操縦者が搭乗して運転操作を行う運転部７等を備えている。
【００４３】
運転部７は機体前部右側に位置しており、運転部７の後方に穀粒タンク５が備えられている。そして、運転部７の下方側には、駆動用のエンジン８が備えられている。走行機体Ｖにおいて、脱穀装置４が左側に位置し、穀粒タンク５が右側に位置する状態で、脱穀装置４と穀粒タンク５とが左右方向に並ぶ状態で備えられている。図３に示すように、脱穀装置４は、機体横幅方向中央位置に対して左側に偏倚した状態で走行機体Ｖに備えられている。
【００４４】
このコンバインは、植立穀稈の株元を切断して刈り取り、刈り取った刈取穀稈の全部を脱穀装置４に投入する全稈投入型に構成されている。
【００４５】
この実施形態で、機体の前後方向を定義するときは、作業状態における機体進行方向に沿って定義し、機体の左右方向を定義するときは、機体進行方向視で見た状態で左右を定義する。すなわち、図１，２に符号（Ｆ）で示す方向が機体前側、図１，２に符号（Ｂ）で示す方向が機体後側である。図２に符号（Ｌ）で示す方向が機体左側、図２に符号（Ｒ）で示す方向が機体右側である。従って、機体左右方向が機体横幅方向に対応する。
【００４６】
刈取搬送部３は、機体走行に伴って、植立穀稈を刈り取る刈取処理部９と、刈取処理部９にて刈り取られた刈取穀稈を機体後部側の脱穀装置４に向けて搬送するフィーダ１０とを備え、機体フレーム１とフィーダ１０とにわたって架設した刈取昇降用の油圧シリンダ１１が伸縮作動することで、横軸芯Ｐ１周りで昇降揺動自在に支持されている。
【００４７】
刈取処理部９は、刈取処理部９全体を支持する枠体としての刈取フレーム１２と、刈取対象となる植立穀稈と非刈取対象の植立穀稈とを分草する左右一対のデバイダ１３と、収穫対象の植立穀稈を後方に向けて掻き込む回転リール１４と、収穫対象の植立穀稈の株元側を切断して刈り取るバリカン形の刈刃１５と、切断後の刈取穀稈を左右方向の中間側に横送りして寄せ集めて後方に向けて送り出すオーガ１６とを備えている。
【００４８】
フィーダ１０は、図１に示すように、角筒状のフィードケース１７の内部に、後上部側に位置する駆動輪体１８と、前下部側に位置する従動輪体１９とにわたって、左右一対の無端回動チェーン２０が巻回され、左右一対の無端回動チェーン２０に亘って所定ピッチ毎に係止搬送体２０ａ（図４参照）が架設されている。フィードケース１７の前端部に刈取処理部９に連通する入口が形成され、フィードケース１７の後端部は、脱穀装置４に連通接続されている。そして、無端回動チェーン２０が回動することで、刈取処理部９から受け渡された収穫作物（刈取穀稈）を脱穀装置４に向けて搬送する。
【００４９】
〔脱穀装置〕
次に脱穀装置４について説明する。
【００５０】
参照）、前端部に位置する前壁部２６、後端部に位置する後壁部２７（図４参照）、上部に位置する天板２１を備え、その内部に形成された内部空間において、上部に扱室２８が備えられ、その扱室２８の下方に選別部２９が備えられて、刈取穀稈がフィーダ１０によって搬送されて前端の入口部３０から扱室２８内に供給されるように構成されている。
【００５１】
扱室２８内には、機体前後向きの水平向き軸芯Ｘ１周りに回転駆動されて作物を扱き処理する扱胴２２が備えられている。扱胴２２は、前壁部２６と後壁部２７とにわたって水平軸芯Ｘ１周りに回転自在に支持される扱胴軸３１を備え、その扱胴軸３１を中心に一体回転するように構成されている。この扱胴軸３１は、エンジン８からの動力により回転駆動される。扱胴２２は、機体正面視において右回り（時計回り）に駆動回転される。
【００５２】
扱胴２２は、円板状に形成され且つ扱胴軸３１に一体回転自在に連結固定された複数の支持プレート３２、扱胴２２の周方向に等間隔で分散配置して各支持プレート３２の夫々に連結された複数の支持杆３３、各支持杆３３の軸芯方向に並ぶ複数箇所から扱胴２２外周側に突出するバー形の扱歯３４を備えている。
【００５３】
扱胴２２の外周部のうち下方側の半周部分に円弧状の受網２３が備えられている。詳述はしないが、受網２３は、円弧状の多数の横桟と横桟同士を連結する軸芯方向に沿う縦桟とを連結して、穀粒が通過するための通過孔が多数形成された周知構造の網状体にて構成されている。扱室２８の上方を覆う天板には、扱胴２２の回転に伴って、処理物を扱胴２２の回転軸芯方向に沿って機体後方側に向けて移送案内する送塵弁３５が備えられている。
【００５４】
図４に示すように、扱室２８の下方に位置する選別部２９は、受網２３から下方に漏下した処理物を移送しながら選別処理する揺動選別装置３６と、揺動選別装置３６から漏下した一番物としての穀粒を回収する一番物回収部３７と、揺動選別装置３６から漏下した枝付き穀粒等の二番物を回収する二番物回収部３８と、揺動選別装置３６に選別風を供給する唐箕３９とを備えている。唐箕３９は、脱穀装置４を横方向に貫通する状態で備えられた回転軸である唐箕軸３９ａの回転に伴って選別風を生起するように構成されている。
【００５５】
一番物回収部３７は、回収した穀粒を横送りスクリュー３７ａにより脱穀装置４の横側外方に搬送するように構成されている。そして、一番物回収部３７にて回収された穀粒は、脱穀装置４の横側外方に搬送されたのち、穀粒搬送装置４０（図２参照）によって上方に搬送されて穀粒タンク５に貯留される。
【００５６】
二番物回収部３８は、回収した二番物を横送りスクリュー３８ａにより脱穀装置４の横側外方に搬送するように構成されている。そして、二番物回収部３８にて回収された二番物は、脱穀装置４の横側外方に搬送されたのち、二番物還元装置４１により扱室２８内に還元されて扱き処理される。
【００５７】
揺動選別装置３６は、平面視で矩形枠状のシーブケース４２を備え、そのシーブケース４２内に、第一グレンパン４３、第二グレンパン４４、篩い線４５、チャフシーブ４６、グレンシーブ４７、ストローラック４８等を備えている。
【００５８】
シーブケース４２は機体前部側が図示しないスライド支持機構により前後にスライド自在に支持され、シーブケース４２の機体後部側箇所の下部に、クランク式の揺動駆動部５２が備えられている。この揺動駆動部５２の作動によってシーブケース４２の機体後部側箇所が円運動により揺動駆動される。従って、シーブケース４２全体が上下方向の成分を備えた前後揺動運動を行うように構成されている。
【００５９】
第一グレンパン４３は、側面視で略波形に形成した板体にて構成され、揺動選別装置３６における処理物の移送方向上手側端部（前端部）に備えられ、扱室２８における移送方向上手側から漏下した処理物を後方に移送する。
【００６０】
篩い線４５は、ピアノ線等からなり、第一グレンパン４３の移送方向下手側端部から移送方向下手側に向けて片持ち状に延設され、第一グレンパン４３から送り出される処理物を後方に移送しながら穀粒や二番物を下方に漏下させる。
【００６１】
第二グレンパン４４は、第一グレンパン４３と同様に、側面視で略波形に形成した板体にて構成され、第一グレンパン４３の移送方向下手側で且つ下方側に位置して第一グレンパン４３の処理物移送方向下手側から漏下した処理物及び篩い線４５から漏下した処理物を後方に移送する。
【００６２】
チャフシーブ４６は、第二グレンパン４４の移送方向下手側に位置して、第二グレンパン４４から送り出される処理物、篩い線４５から漏下した処理物、及び、扱室２８の受網２３から漏下した処理物について、揺動移送しながら穀粒や二番物を下方に漏下させる。
【００６３】
グレンシーブ４７は、穀粒通過用の開口を多数備えたクリンプ網からなり、チャフシーブ４６の下方側に位置して、シーブケース４２の左右側板にわたって架設支持されている。このグレンシーブ４７は、チャフシーブ４６から漏下した処理物を揺動移送しながら穀粒を下方の一番物回収部３７に漏下させ、二番物を移送方向下手側の二番物回収部３８に移送する。
【００６４】
ストローラック４８は、チャフシーブ４６の移送方向下手側に備えられている。ストローラック４８は、鋸歯状に形成された複数の板体からなり、処理物を受け止めて後方に揺動移送することができる。ストローラック４８を漏下しなかった排ワラ等の処理物は後方の排塵口から外方に排出される。
【００６５】
〔伝動構造〕
図９に示すように、機体右側に位置する運転部７の下方に備えられたエンジン８からの動力が、唐箕軸３９ａを介して脱穀装置４の左側に伝達され、唐箕軸３９ａから脱穀装置４の左側に備えられた脱穀用のベルト伝動機構５５を介して脱穀装置４の各部、すなわち、一番物回収部３７、二番物回収部３８、揺動駆動部５２に伝達される。
【００６６】
図１０及び図１１に示すように、唐箕軸３９ａの左側端部から第一ベルト伝動機構５６を介して扱胴駆動用の中継伝動軸５７に動力が伝達される。中継伝動軸５７から第二ベルト伝動機構５８を介してフィーダ駆動軸５９に動力が伝達される。図示はしないが、このフィーダ駆動軸５９から刈取搬送部３の各部に動力が伝達される。
【００６７】
第一ベルト伝動機構５６は、唐箕軸３９ａに備えられた第一駆動プーリ６０と、中継伝動軸５７に備えられた第一従動プーリ６１と、それらにわたって巻回された第一伝動ベルト６２と、第一伝動ベルト６２に緊張力を付与するテンション機構６３とを備えている。
第一ベルト伝動機構５６は、テンション機構６３により緊張力が付与され、常に伝動状態を維持する。
【００６８】
第二ベルト伝動機構５８は、中継伝動軸５７に備えられた第二駆動プーリ６４と、フィーダ駆動軸５９に備えられた第二従動プーリ６５と、それらにわたって巻回された第二伝動ベルト６６と、テンション輪体６７と、テンション輪体６７を支持するテンションアーム６８とを備えている。テンションアーム６８は、中継伝動軸５７に揺動自在に外嵌装着されている。運転部７に備えられた刈取クラッチレバー６９の操作により操作ワイヤ７０を介して引き操作されると、テンションアーム６８が揺動して、第二伝動ベルト６６に緊張力を付与する状態となり、引き操作が解除されると、緊張状態を解除するように構成されている。テンション輪体６７はバネ７１により緊張解除側に揺動付勢されている。
【００６９】
従って、第二ベルト伝動機構５８は、刈取クラッチレバー６９の操作に基づいて刈取処理部９への動力伝達を行う入り状態と、動力伝達を行わない切り状態とに切り換え自在なベルトテンション式の刈取クラッチを構成する。
【００７０】
テンション輪体６７は、テンションアーム６８を挿通する状態で設けられた支軸７２に支持されており、支軸７２はテンション輪体６７とは反対側に突出しており、操作ワイヤ７０は、ストローク吸収用のスプリング７３を介して支軸７２の反対側の突出部に連結されている。このように支軸７２をワイヤ連結部と兼用してテンション輪体６７の支持構造を簡素化させている。
【００７１】
第二ベルト伝動機構５８は、第一ベルト伝動機構５６に対して脱穀装置４の横外方側に位置する状態で備えられている。第二ベルト伝動機構５８は、第一ベルト伝動機構５６に比べて伝動ベルトの交換等のメンテナンス作業の頻度が大である。そこで、第二ベルト伝動機構５８を第一ベルト伝動機構５６よりも横外方側に備えることにより、第二ベルト伝動機構５８の修理点検等のメンテナンス作業を機体外方側から容易に行うことができる。
【００７２】
操作ワイヤ７０のアウターワイヤの端部を支持するワイヤ受け部材７４が脱穀装置４の側壁部２４から片持ち状に延設された支持ステー７５に取り付けられている。図１２にも示すように、ワイヤ受け部材７４は、支持ステー７５に対する連結位置からさらに横側外方に延びるとともに、テンションアーム６８に近づく方向に延びるように帯板材を略Ｚ字状に折り曲げて形成されている。第二ベルト伝動機構５８が脱穀装置４の側壁部２４から外方側に離れた位置にあっても、操作ワイヤ７０が真っ直ぐに引き操作されて刈取クラッチの入り切り操作を円滑に行うことができる。
【００７３】
〔脱穀装置のカバー体〕
上述したように、図８に示すように、脱穀装置４の左側外部には、脱穀用のベルト伝動機構５５、第一ベルト伝動機構５６、第二ベルト伝動機構５８等が備えられるので、それらの外方側を覆う合成樹脂製の第一カバー体７６、第二カバー体７７、及び、第三カバー体７８が備えられている。扱室２８に相当する箇所には、その外方側を覆う第四カバー体７９が備えられている。
【００７４】
図１０及び図１３に示すように、第一カバー体７６、第二カバー体７７、及び、第三カバー体７８は、夫々、下部に備えられた被係止具８０を側壁部２４に設けられた係止部８１に引っ掛け係止し、上部側をノブボルト８２にて側壁部２４に設けられた固定部８３に締め付けて固定するように構成されている。各カバー体７６，７７，７８は、ノブボルト８２の締め付けを解除すると、係止部８１にて前後軸芯Ｘ３周りで揺動自在であり、簡単に取り外すことができる。
【００７５】
図１０、図１３及び図１５に示すように、三個のカバー体７６，７７，７８のうち下側に位置する第二カバー体７７及び第三カバー体７８は、ノブボルト８２による締結箇所が機体内方側に凹入する形状となっている。第四カバー体７９は、その外面部の左右方向の位置が、第二カバー体７７及び第三カバー体７８の凹入部７７ａ，７８ａの外面部と同じ位置になる状態で備えられている。第一カバー体７６は、上述したような２つのベルト伝動機構５６，５８を内装するので、第二カバー体７７よりも外方側に位置する状態で備えられている。ノブボルト８２による締結箇所が機体内方側に凹入することで、植立穀稈がノブボルト８２に引っ掛かり、植立穀稈を引き千切ったり、ノブボルト８２に茎稈屑が付着する等の不利を回避できる。
【００７６】
第四カバー体７９が備えられる箇所には、側壁部２４に側面視矩形状に形成されたメンテナンス用の大型の開口８４が形成されており、第四カバー体７９は、この開口８４を覆う閉じ状態と外方に揺動する開放状態とに揺動開閉自在に構成されている。すなわち、第四カバー体７９は、左側の側壁部２４の上部箇所に対して前後軸芯Ｘ２周りで揺動自在に支持されている。第四カバー体７９を開放させると、開口８４を通して受網２３を取り外したり取り付けることができる。第四カバー体７９は図示しないガスダンパにて開放状態で位置保持自在である。
【００７７】
図１３及び図１４に示すように、第四カバー体７９は、その閉じ位置にて受網２３に隣接する内壁板７９ａ、内壁板７９ａの左外側に間隔をあけて位置する外壁板７９ｂ、内壁板７９ａの前端部と外壁板７９ｂの前端部とにわたる前壁板７９ｃ、内壁板７９ａの後端部と外壁板７９ｂの後端部とにわたる後壁板７９ｄ、内壁板７９ａと外壁板７９ｂと前壁板７９ｃと後壁板７９ｄとの夫々の下端部にわたる底板７９ｅ等を備えて、略矩形箱状に形成されている。
【００７８】
この第四カバー体７９の内方側には、第四カバー体７９の閉じ位置において受網２３の下方に入り込む前後一対のガイド部８６が備えられている。ガイド部８６は、受網２３の下方への入り込み量が下方側ほど大きくなる状態で内壁板７９ａの上下中間部から右下方に延出する傾斜ガイド面８６Ａ、正面視で略三角形状の前側縦面８６Ｂと後側縦面８６Ｃ、底面８６Ｄの夫々を備えて、正面視で略三角形の箱状に形成されている。
【００７９】
脱穀処理物の漏下量が多くなる受網２３の左端部から濾過した選別対象物の多くを、ガイド部８６の傾斜ガイド面８６Ａにより、揺動選別装置３６の左右中央側に案内することができる。これにより、受網２３から漏下した選別対象物が、揺動選別装置３６の左端側に集中して供給されることに起因した揺動選別装置３６での選別不良の発生を防止することができる。
【００８０】
そして、ガイド部８６を、内壁板７９ａに対して着脱可能なようにボルト連結する構成とし、内壁板７９ａにおけるガイド部８６が装着される箇所に開口Ｋを形成する。この構成では、ガイド部８６を内壁板７９ａから取り外すと、開口Ｋを通して第四カバー体７９の内部が開放された状態となるので、開口Ｋを通して、第四カバー体７９の内部に収納物（例えば、修理用の道具や部品類等）を収納しておくことができる。ガイド部８６を取り付けると、開口Ｋは閉塞されるので、収納物が外方に露出することはない。
【００８１】
〔排ワラカバー〕
脱穀装置４の後方に、脱穀装置４から排出される排ワラを受け入れて下方側から外部に排出する排ワラカバー９０が備えられている。図２、図３及び図６に示すように、排ワラカバー９０は、機体横幅方向外方側としての機体左側に位置して側面視で略台形状の外側側壁９０Ａと、機体横幅方向内方側としての機体右側に位置して側面視で略台形状の内側側壁９０Ｂと、機体後側に位置する後部壁９０Ｃとを備えて、それらが一体的に連結され、扱室２８に臨む前部上部側及び下方側が開口された平面視での横断面形状が略Ｕ字状となるカバー体を形成している。
【００８２】
排ワラカバー９０は、外側側壁９０Ａの前端部と内側側壁９０Ｂの前端部とを夫々、脱穀装置４の左右両側の側壁部２４，２５に上下複数箇所にてボルトで連結して支持されている。
【００８３】
図６に示すように、外側側壁９０Ａは、機体前後方向に沿う前後向き姿勢となっており、内側側壁９０Ｂは、機体後方側ほど機体右側すなわち機体左右中央位置側に位置する傾斜姿勢となっている。図２及び図３に示すように、脱穀装置４と穀粒タンク５との間の左右方向中間部における空き領域を利用して、その空き領域の機体後部側に燃料タンク９１が配備されている。内側側壁９０Ｂは燃料タンク９１と隣り合う位置に位置している。
【００８４】
図３に示すように、内側側壁９０Ｂは、燃料タンク９１の上面よりも下側まで延びており、図２及び図６に示すように、内側側壁９０Ｂの後端が、燃料タンク９１の側面９３に近接する位置まで延びている。具体的には、内側側壁９０Ｂは、脱穀装置４の後端部の右側箇所から右後側の斜め方向に向けて延設されており、燃料タンク９１の後端よりも機体後方にまで延びている。このように構成することで、排ワラカバー９０により排出される排ワラが燃料タンク９１に降り掛かることを防止できる。
【００８５】
図５及び図６に示すように、排ワラカバー９０の内部に、外側側壁９０Ａから内側側壁９０Ｂに向けて延び且つ機体右側ほど下方に位置する傾斜姿勢の流下案内体９４が備えられている。この流下案内体９４は、排ワラカバー９０の機体横幅方向中央位置よりも機体左側に設けられている。すなわち、図５に示すように、流下案内体９４の全体が機体前後方向視で排ワラカバー９０の機体横幅方向中央位置よりも機体左側に片寄った状態で備えられている。
【００８６】
図６及び図７に示すように、流下案内体９４は、機体側面視で、排ワラカバー９０の上部側箇所において排ワラカバー９０の内部空間を前後方向に沿って略塞ぐように前後に亘る状態で設けられている。流下案内体９４の案内始端側箇所の上端位置が、上下方向において、扱胴２２の回転軸芯Ｘ１と受網２３の下端部との間における回転軸芯寄りの高い位置に位置し、流下案内体９４の案内終端側箇所の下端位置が、上下方向において、扱室２８の後壁９５の下端と揺動選別装置３６の上端との間に位置している。
【００８７】
図４及び図６に示すように、流下案内体９４に対応する箇所では、受網２３が存在しないが、扱胴２２の後端部が臨む状態となっている。説明を加えると、受網２３は、前壁（図示せず）と後壁９５とにより前後に区画された扱室２８の内部に位置する状態で備えられる。扱胴２２は扱室２８の前壁よりも前方に延び、扱室２８の後壁９５よりも後方に延びている。扱胴２２は前部側には作物搬入用の螺旋羽根９７を備え、後壁９５よりも後部側には、扱室２８内と同じ扱歯３４を備えている。後壁９５は、扱胴２２の回転を許容するとともに、作物の通過を許容すべく、略Ｕ字状の切欠きが形成されている。
【００８８】
扱室２８の後壁９５を通過して後方に排出されるのは、受網２３を漏下しなかった茎稈屑等の排ワラである。この排ワラは、脱穀装置４の後端部から後方外方に排出される。受網２３を漏下した脱穀処理物のうち揺動選別装置３６から漏下しなかった排ワラも脱穀装置４の後方外方に排出される。
【００８９】
図５に示すように、流下案内体９４は、上部側に位置する案内始端側箇所に、水平面に対する傾斜角度が大きい急傾斜部９８を備え、下部側に位置する案内終端側箇所に、水平面に対する傾斜角度が小さい緩傾斜部９９を備えている。緩傾斜部９９は、上下方向において、扱室２８の後壁９５の下端と揺動選別装置３６の上端との間に位置している。
【００９０】
緩傾斜部９９は、急傾斜部９８よりも小さい傾斜角度で水平面に対して傾斜する傾斜部分９９ａと、その傾斜部分９９ａに対して案内終端部側に連なり水平面に対する傾斜角度が略零である水平姿勢の水平部９９ｂとを備えている。この水平部９９ｂは、傾斜部分９９ａに対してボルト連結にて取り付けられている。従って、不要であるときは、水平部９９ｂを取り外すことができ、さらに幅広の水平部に取り換えることもできる。
【００９１】
流下案内体９４は、上端部が脱穀装置４の左側の側壁部２４にボルト連結にて固定されている。このボルト連結箇所は排ワラが接当する側とは反対側に位置している。流下案内体９４の上下途中位置がブラケット１００を介して扱室２８の後壁９５にボルトで固定されている。そして、流下案内体９４の下端部がブラケット１０１（図７参照）を介して排ワラカバー９０の後部壁９０Ｃにボルトで固定されている。
【００９２】
上述したように、流下案内体９４に対応する箇所では、受網２３が存在しないが、扱胴２２の後端部が臨む状態となっているから、扱胴２２の回転に伴って、排ワラが排ワラカバー９０内に向けて扱歯３４によって放擲しながら排出される。そのとき、排出される排ワラが、流下案内体９４によって機体右側に寄せるように案内されて、下方から外方に排出される。扱室２８の後壁９５の下端と揺動選別装置３６の上端との間においては、唐箕３９からの選別風が供給されるので、扱胴２２の回転に伴う放擲案内作用に加えてその選別風によってさらに右側に向けて排ワラが案内される。
【００９３】
〔別実施形態〕
（１）上記実施形態では、排ワラカバー９０の外側側壁９０Ａが、機体前後方向に沿う前後向き姿勢に設けられる構成としたが、外側壁９０Ａが、機体後方側ほど機体左右中央位置側に位置する傾斜姿勢に設けられるものでもよい。
【００９４】
（２）上記実施形態では、脱穀装置４と穀粒タンク５との間において燃料タンク９１が備えられる構成としたが、燃料タンク９１は別の箇所に配備してもよい。
【００９５】
（３）上記実施形態では、排ワラカバー９０に流下案内体９４が備えられ、流下案内体９４は、急傾斜部９８と緩傾斜部９９とを備え、緩傾斜部９９に水平姿勢の水平部９９ｂを備える構成としたが、この構成に代えて、水平部９９ｂを備えない構成としてもよく、傾斜角度が全範囲で一定に設けられる構成としてもよい。流下案内体９４の設置位置も適宜変更して実施してもよい。
【００９６】
（４）上記実施形態では、稲、麦等を対象とするコンバインに搭載された脱穀装置に適用したものを示したが、トウモロコシ等の他の種類の作物を対象とするコンバインに搭載された脱穀装置に適用してもよい。
【産業上の利用可能性】
【００９７】
本発明は、左右一対の走行装置を備えた走行機体と刈取作物を脱穀処理する脱穀装置とを備えたコンバインに適用できる。
【符号の説明】
【００９８】
２        走行装置
４        脱穀装置
５        穀粒タンク
２２      扱胴
２３      受網
２８      扱室
３６      揺動選別装置
９０      排ワラカバー
９０Ａ    外側側壁
９０Ｂ    内側側壁
９１      燃料タンク
９４      流下案内体
９５      後壁
９８      急傾斜部
９９      緩傾斜部
９９ｂ    水平部
【図１】
0006472357.tif 000002
【図２】
0006472357.tif 000003
【図３】
0006472357.tif 000004
【図４】
0006472357.tif 000005
【図５】
0006472357.tif 000006
【図６】
0006472357.tif 000007
【図７】
0006472357.tif 000008
【図８】
0006472357.tif 000009
【図９】
0006472357.tif 000010
【図１０】
0006472357.tif 000011
【図１１】
0006472357.tif 000012
【図１２】
0006472357.tif 000013
【図１３】
0006472357.tif 000014
【図１４】
0006472357.tif 000015
【図１５】
0006472357.tif 000016